Podtech/llm-jp-corpus-v4-ja_patent huggingface dataset:
(57)【要約】      （修正有） 【課題】腕の形に添って裁断された日除け用腕カバー本体２で腕全体の上部分だけを覆って暑さを防ぎ日焼けを予防する。【解決手段】本考案は、腕の形に添って裁断され腕全体の上半分だけを覆う日除け用腕カバー本体２に、手の甲と指に当たる部分を装着するための親指と中指を入れる指通し輪を付けると共に、同日除け用腕カバー本体２を手首と腕に当たる部分の側面に手首と腕を装着するためのゴム紐４を取り付け、前記ゴム紐４の先端にフック状の係合部材を取り付け、同日除け用腕カバー本体２の手首と腕に当たる反対側の側面にループ状の係合部材を取り付けた事によって、腕１全体の上部分だけを同日除け用腕カバー本体２で覆うことができ、涼しく日焼けを防止するのに役立つ。【選択図】図１
0003138536.tif 000002
【実用新案登録請求の範囲】
【請求項１】
腕の形に添って裁断され腕全体の上半分だけを覆う日除け用腕カバー本体に、指通しの輪を付けると共に、手首と腕に当たる部分の側面に同日除け用腕カバー本体を手首と腕に装着するためのゴム紐を取り付け、ゴム紐の先端に係合部材を取り付け、この係合部材にワンタッチで着脱可能に係合する係合部材を前記日除け用腕カバー本体の反対側の側面に取り付けたことを特徴とする日除け用腕カバー。
【考案の詳細な説明】
【技術分野】
【０００１】
本考案は、腕の形に添って裁断され腕全体の上半分だけを覆うようにした、日除け用腕カバーに関するものである。
【背景技術】
【０００２】
従来の、この種の日除け用腕カバーは、腕全体が筒状に作られた日除け用腕カバー本体部の一端側に位置する手首覆い部よりも先端側において掌側で本体部の長さ方向に沿ってカットして、手首覆い部よりも先端側の編地の先端部内面に編地に対して紐条体を装着して
いる。
【特許文献１】特開平１０−１５８９１１号公報
【考案の開示】
【考案が解決しようとする課題】
【０００３】
上記背景技術の腕カバーを付けての日焼け予防は、長袖を着たのと一緒の状態になって腕が蒸せたり、汗が出たりして暑かった。従って腕の形に添って裁断された日除け用腕カバー本体で腕全体の上半分だけを覆うようにすることによって前述の欠点を解決しようとするものである。
【課題を解決するための手段】
【０００４】
本考案は、腕の形に添って裁断され腕全体の上半分だけを覆う日除け用腕カバー本体に、手の甲と指に当たる部分を装着するための親指と中指を入れる指通しの輪を付けると共に、手首と腕に当たる部分の側面に同日除け用腕カバー本体を手首と腕を装着するためのゴム紐を取り付け、前記ゴム紐の先端にフック状の係合部材を取り付けこの係合部材にワンタッチで着脱可能に係合するループ状の係合部材を同日除け用腕カバー本体の反対側の側面に取り付けたことによって、上述の問題点を解決している。
【考案の効果】
【０００５】
上述の様に、本考案の日除け用腕カバーは、腕全体の上半分だけを覆っているので腕の蒸れや暑さを防ぎ涼しく日焼け予防が出来る。
【考案を実施するための最良の形態】
【０００６】
以下、添付図面に従って実施の形態を説明する。１は腕で、２は腕の形に添って裁断され腕全体の上半分だけを覆う日除け用腕カバー本体、前記日除け用腕カバー本体２の手の甲と指に当たる部分を装着するための輪３を親指と中指に当たる所に取り付け、前記輪３に親指と中指を入れて手の甲と指を装着する。４は同日除け用腕カバー本体２の手首から腕を装着するゴム紐で、前記ゴム紐４の一端を同日除け用腕カバー本体２の手首と腕の上部に当たる部分の側面４ａに付ける、同ゴム紐４の先端にフック状の係合部材５を付け、同日除け用腕カバー本体２の手首と腕に当たる反対側の側面にループ状の係合部材６を付けた。
【０００７】
本考案の実施の形態は上述の如き構成からなるものであるから、上述日除け用腕カバー本体２を腕に乗せ上述した指通しの輪３に親指と中指を入れて装着し、手首と腕は上述ゴム紐４の先端に付けたフック状の係合部材５をループ状の係合部材６に、腕１の下から廻して合わし同日除け用腕カバー本体２を装着する。ワンタッチ方式のために着脱が容易で腕１全体の上部分だけを同日除け用腕カバー本体２で覆っているので暑さから解除されると共に日焼け予防ができる。
【図面の簡単な説明】
【０００８】
【図１】本考案の日除け用腕カバー本体の着用状態を示す図である。
【図２】本考案の日除け用腕カバー本体の表図である。
【図３】本考案の日除け用腕カバー本体の裏図である。
【図４】本考案の日除け用腕カバー本体の指先から見た図である。
【符号の説明】
【０００９】
１．腕
２．日除け用腕カバー本体
３．指通し
４．ゴム紐
４ａ．日よけ用腕カバー本体とゴム紐の縫い合わせ
５．フック状の係合部材
６．ループ状の係合部材
【図１】
0003138536.tif 000003
【図２】
0003138536.tif 000004
【図３】
0003138536.tif 000005
【図４】
0003138536.tif 000006
(57)【要約】      （修正有）【課題】部品点数や製造工数が少なく生産性に優れ、衛生的でファッション性に優れ、全体的にゴムを使用している為、頭の形や、髪型にこだわり無く装着でき、安全に使用可能なサンバイザーを提供する。【解決手段】全体の伸縮で緊締する事を特徴とするサンバイザー、全体的にO型で帽子で言うツバ部分が前になり、中央から後部にかけて頭部挿入部分もO型であるサンバイザー。【選択図】図１
0003138595.tif 000002
【実用新案登録請求の範囲】
【請求項１】
全体の伸縮で緊締する事を特徴とするサンバイザー、全体的にO型で、帽子で言うツバ部分が前になり、中央から後部かけて頭部挿入部分もO型であるサンバイザー。
【請求項２】
表面の生地は、ウェットゴムのラバースキン、裏面ジャージを張り合わせている、請求項１記載のサンバイザー。
【請求項３】
表面の生地は、ジャージを張り合わせ、裏面ジャージを張り合わせている、請求項１記載のサンバイザー。
【考案の詳細な説明】
【技術分野】
【０００１】
本考案は、炎天下の競技場、サーフィン中、ゴルフ場、遊園地、その他、旅行先等の戸外に於いて、直射日光を避けて影を作り、眼に有害な紫外線を和らげて、日焼け等を防ぐ事を目的とした、簡易サンバイザーに関するものである。
【背景技術】
【０００２】
全体的にゴムを使用している為に頭の形や、髪型にこだわり無く装着できスポーツ観戦から、ハードなスポーツにも安全に使用可能。
【考案の開示】
【考案が解決しようとする課題】
【０００３】
全体的にゴムを使用している為に頭の形や、髪型にこだわり無く装着できスポーツ観戦から、ハードなスポーツにも安全に使用可能で、本発明は上記従来の課題を解決するもので、専用の日除け部材や日除け部材を取り付けるための部品を必要としないので、部品点数や製造工数がなく生産性に優れ、汗や汚れを洗い流して繰り返し使用できるので衛生的で経済性に優れ、ファッション性に優れているので屋外での炎天下の競技場、サーフィン中、ゴルフ場、遊園地、その他、旅行先、農作業等のほか野球や運動会等の観戦、釣り、登山等をする際に使用し、頭部及び顔の前面や側部、首筋等を太陽の光から保護して日焼けを防止できる機能的なサンバイザーを提供することを目的とする。
【課題を解決するための手段】
【０００４】
本考案は、炎天下の競技場、サーフィン中、ゴルフ場、遊園地、その他、旅行先等の戸外に於いて、直射日光を避けて影を作り、眼に有害な紫外線を和らげて、日焼け等を防ぐ事を目的とした、簡易サンバイザーに関するもので全体的にゴムを使用している為に頭の形や髪型にこだわり無く、装着できスポーツ観戦からハードなスポーツにも安全に使用可能である。
【考案の効果】
【０００５】
全体的にゴムを使用している為に頭の形や、髪型にこだわり無く装着できスポーツ観戦から、ハードなスポーツにも安全に使用可能で、直射日光を避けて影を作り、眼に有害な紫外線を和らげて、日焼け等を防ぐ効果がある。
【考案を実施するための最良の形態】
【０００６】
全体的にゴムを使用している為に頭の形や、髪型にこだわり無く装着できスポーツ観戦から、ハードなスポーツにも安全に使用可能で、表面はラバースキンと言いゴム素材を使用、裏面はラバースキンにジャージの布を張り合わせ頭部接着面は、汗を吸い取る効果もあるし、また、表面にもジャージを使用した場合、リバーシブルで使用可能。
【０００７】
本実施例の寸法は、図１を参照して、１の厚みが５mm〜９mm、３が９cm〜１２cm、４が３cm、５が３,５cm、６が２５cm〜２８cm、７が１６cm〜１８cm、８が直径１４cm〜１６cmである。
【図面の簡単な説明】
【０００８】
【図１】本実施例の斜視図
【図２】本実施例の平面図
【符号の説明】
【０００９】
８    サンバイザー
９    頭部挿入部分
１０  ツバ部分
【図１】
0003138595.tif 000003
【図２】
0003138595.tif 000004
(57)【要約】【課題】  形状が簡単な楔形状でありながら堅牢で使い勝手のよいドアストッパーを提供する。【解決手段】  楔形状の直角三角形の断面で、全体として硬質ゴム製で、傾斜面に板バネを貼設し、硬質ゴム内にスポンジを埋入して底面に露現させ、底面に凹凸の摩擦面を設けたドアストッパーであって、板バネを使用することによってドアの当を緩げ、全体を保護することを特徴としている。【選択図】    図１
0003138574.tif 000002
【実用新案登録請求の範囲】
【請求項１】
角Ａは直角、角Ｂは浅い鋭角とした断面楔形の直角三角形状で、全体を硬質ゴム（１）製とし、数ヶ所にスポンジ（２）を埋設し、該スポンジ部分を底面に露現させると共に、前記硬質ゴム部分の底面側に凹凸部（４）を設けて摩擦面を形成し、斜面ａに板バネ（３）を貼設一体としたことを特徴としたドアストッパー。
【考案の詳細な説明】
【技術分野】
【０００１】
本考案はドアとの接合面に板バネを用いたドアストッパーに関する。
【背景技術】
【０００２】
従来、ドアと床面との間に挿入することによりドアを開放した状態で固定するドアストッパーとしては数多くの考案が開発されている。
【特許文献１】実登３０４２４６７号公報
【考案の開示】
【考案が解決しようとする課題】
【０００３】
この種のドアストッパーは集合住宅での利用が多く、一般に集合住宅の場合、玄関と反対側にベランダがあって、玄関ドアを閉めておくと風通しが悪いという欠点があり、湿気の多い夏場では玄関ドアを開放することが好ましいが、人通りのある集合住宅ではこれもできず、また防犯上でも問題がある。したがってドアチェンの範囲内で少しドアを開けて風通しを良くすることでドアストッパーが利用され、クーラーの使用もなく省エネに貢献する。
【０００４】
しかし、このような集合住宅のドアはスチール製が多く、風圧によってストッパーがずれるおそれがあり、また度々の使用で変形して使用が不可となる傾向がある。
【課題を解決するための手段】
【０００５】
考案者はこの点に鑑み鋭意研究を重ねた結果本考案に到達したもので、本考案は、ストッパーを楔状とし、全体を硬質ゴム製としてドアとの当接面に板バネを用いて風圧に対して緩衝力を維持させ、底面に凹凸の摩擦面とスポンジによる密着性によって、ドアスッパーの移動を防ぐことに成功した。
【考案の効果】
【０００６】
本考案のドアストッパーは、楔状で硬質ゴムとスポンジの構成で、ドアとの当接面に板バネを設けることによって、緩衝性がよく、堅牢で、しかもドアの開け加減が自由となるため使用上の効果はきわめて顕著である。
【考案を実施するための最良の形態】
【０００７】
添付図面により本考案の最良の形態を説明すると、図１は本考案のドアストッパーの全体を表わす斜視図であり、図２は断面図を示している。符号（１）は硬質ゴムであって全体の構成を形成し、符号（２）は硬質ゴム内に介入されているスポンジ塊で一部がストッパーの底面に露現して床との密着性を良好としている。符号（３）は板バネでドアとの当接に対しての衝撃を緩げると共に、ストッパー全体を弾性によって保護している。
図２において、Ｂの傾斜角は１５°〜２０°、ＡＢの長さは１５ｃｍ程度が使い勝手がよい。      
【実施例】
【０００８】
本考案のドアストッパーは、図２に示すように、底面Ｃに対して高さｂの比較的低い直角三角形の楔形で全体として硬質ゴム（１）により形成されていて、この硬質ゴム（１）の中にスポンジ塊（２）を埋入させ、このスポンジ塊（２）の一部を底面Ｃに露現させて構成されている。そして硬質ゴム（１）の面には凹凸面（４）を設けて滑り止めとし、斜面ａ全面に板バネ（３）を貼着して構成する。
【０００９】
本考案のドアストッパーは玄関ドア（図示していない）に使用した場合、家内からの風圧に対して、重いドアの下方向の風圧Ｄに対しては硬質ゴム（１）への押圧力をスポンジ塊（２）で吸収すると共に、板バネ（３）の反発力で支えることができる。また水平方向の風圧力Ｄ１に対しては床面に接している硬質ゴムの凹凸部（４）の摩擦力でドアストッパーの移動を防止することができる。
【００１０】
そしてドアとの当接面は鋼製の板バネ（３）を用いるためストッパーの破損を防ぐことができて長期間の使用が可能である。
【００１１】
本考案のドアストッパーについて主に集合住宅の玄関ドアについて記載したが、本考案のドアストッパーはこれに限ることなく、間仕切のドアに使用しても同様の作用効果を奏することは勿論である。
【産業上の利用可能性】
【００１２】
本考案のドアストッパーは、構造が簡略でしかも堅牢のため集合住宅等の玄関ドアに適していて、日本特有の湿気の多い夏期に使用するときは、クーラーの使用を控え目とするため省エネに通じ、その利用価値はきわめて大である。
【図面の簡単な説明】
【００１３】
【図１】全体を表わす斜視図
【図２】断面図
【符号の説明】
【００１４】
１  硬質ゴム
２  スポンジ
３  板バネ
４  凹凸面
【図１】
0003138574.tif 000003
【図２】
0003138574.tif 000004
(57)【要約】      （修正有）【課題】フック成形の後で焼入れをしなくても充分な強度を有するフックを配設してなる巻尺を提供できるようにして、焼入れ時に発生していた二酸化炭素の排出量削減に貢献できるようにした。【解決手段】ケース２内に、測定テープ３を周囲に巻き回し、同測定テープ３を巻き取り方向に付勢する付勢手段を内装する回転ドラムが回転自在に支持された自動巻取り式の巻尺１における測定テープ３の先端に配設する係止用のフック４を、チタンを主体とする合金で形成した。【選択図】図１
0003138572.tif 000002
【実用新案登録請求の範囲】
【請求項１】
ケース内に、測定テープを周囲に巻き回し、同測定テープを巻き取り方向に付勢する付勢手段を内装する回転ドラムが回転自在に支持された自動巻取り式の巻尺であって、測定テープの先端に配設する係止用のフックを、チタンを主体とする合金で形成してなる巻尺。
【請求項２】
前記ケースの少なくとも外側を、光触媒を混合してなる塗料や樹脂等のコーティング材によりコーティングしてなる請求項１に記載の巻尺。
【考案の詳細な説明】
【技術分野】
【０００１】
本考案は、測定テープ自動巻取り式の巻尺に関する。
【背景技術】
【０００２】
従来、巻尺を用いた長さ測定の際、測定テープを被測定物における一方の測定点に引っ掛けて測定テープの先端を固定する測定テープ先端に配設している係止用のフックは、ハードな使用にも変形しないように、原材料の鋼材をフックの形に成形した後で焼入れを行って強固なものにしている（例えば、特許文献１参照）。
【０００３】
したがって、フックの製造工程は、原材料の鋼材をフックの形に成形する成形工程と、フックの形に成形した鋼材に焼入れを行う焼入れ工程の２工程を必要とするものであって、特に焼入れ工程は大量の二酸化炭素の発生を伴い、二酸化炭素の排出量削減を世界的に推進している今日では逆行していた。
【０００４】
【特許文献１】特開２００２−１３１００２号公報（第１〜５頁、図１〜６）
【考案の開示】
【考案が解決しようとする課題】
【０００５】
本考案は、フック成形の後で焼入れをしなくても充分な強度を有するフックを配設してなる巻尺を提供できるようにして、二酸化炭素の排出量削減に貢献できるようにした。
【課題を解決するための手段】
【０００６】
上述した課題を解決するために、本考案に係る巻尺は、ケース内に、測定テープを周囲に巻き回し、同測定テープを巻き取り方向に付勢する付勢手段を内装する回転ドラムが回転自在に支持された自動巻取り式の巻尺であって、測定テープの先端に配設する係止用のフックを、チタンを主体とする合金で形成したものとしてある。
【０００７】
また前記ケースの少なくとも外側を、光触媒を混合してなる塗料や樹脂等のコーティング材によりコーティングしたものとしてある。
【考案の効果】
【０００８】
本考案の巻尺によれば、係止用のフックを、チタンを主体とする合金（チタン合金）で形成することで同フックに充分な強度を持たせられるので、従来の強度を得るために行っている焼入れ工程を省略できて、世界的に推進されている二酸化炭素の排出量削減に貢献できる。
【０００９】
また、焼入れ工程を省略できるため、フックの製造工程は、原材料のチタン合金をフックの形に成形する成形工程だけになるので、同フックの製造工数及び同原価を低減できる。
【００１０】
そして、チタン合金は熱伝導率が小であるため熱膨張も小になり、しかもチタン合金は耐食性に優れるので、開発に際し、長さ測定における測定精度の低下要因を可能な限り排除するようにしている巻尺にとっては、フックを、チタンを主体とする合金（チタン合金）で形成することは非常に有効な手段となる。
【考案を実施するための最良の形態】
【００１１】
本考案に係る巻尺は、図１に示すように、巻尺１における測定テープ３（図２を参照）の先端に配設する係止用のフック４をチタン合金で形成しているものである。
【００１２】
そしてフック４にさらなる高強度を望むのであれば、高力合金系のＪＩＳ６０種（通称６−４合金といわれる）とほぼ同じ強度を有しながら、このＪＩＳ６０種よりも冷間での加工性が優れるベータ系（金属組織が体心立方晶）の１５−３−３−３合金を用いるのがよい。
【００１３】
また、より耐食性に優れるものとしては、耐食系合金のＪＩＳ１１種、ＪＩＳ１２種（パラ入りチタン合金といわれる）がある。
【００１４】
さらには、図３に示すように、巻尺１におけるケース２の少なくとも外側を、光触媒を混合してなる塗料や樹脂等のコーティング材８によりコーティングする場合もある。
【００１５】
そして、コーティング材８に混合する光触媒は、二酸化チタンもしくは二酸化チタンと他物質の混合物からなるものを用いている。
【００１６】
上述のようなコーティングを施すことにより、ケース２の表面に汚れが付着しても、コーティング材８に混合している光触媒の効果によって同ケース２の表面に付着する汚れが浮き上がるので、水洗いだけで簡単にケース２の表面を綺麗にすることができる。
【００１７】
実施例における図中の符号５は、内装する回転ドラムの周囲に巻き回している測定テープ３のケース２における測定テープ出入口、符号６は、巻尺１を作業者の腰ベルトに係着させる際に用いるベルトクリップ、符号７は、引き出した測定テープ３を所望の引き出し位置で固定するためのブレーキレバーである。
【図面の簡単な説明】
【００１８】
【図１】本考案に係る巻尺の一例を示す斜視図。
【図２】測定テープを引き出した状態の巻尺を示す斜視図。
【図３】本考案に係る巻尺の一例を示す斜視図。
【符号の説明】
【００１９】
１  巻尺
２  ケース
３  測定テープ
４  フック
５  測定テープ出入口
６  ベルトクリップ
７  ブレーキレバー
８  コーティング材
【図１】
0003138572.tif 000003
【図２】
0003138572.tif 000004
【図３】
0003138572.tif 000005
(57)【要約】【課題】擬似竹ガラス繊維管組み合わせ構造を提供する。【解決手段】本発明の擬似竹ガラス繊維管組み合わせ構造は、鋼管または組み合わせ部材である内層と、ガラス繊維体である中間層と、プラスチック薄膜である外層とから組成され、形成される形状が半円形体および円形体の構造であり、中間層と外層の間は樹脂を利用し、緑、黄顔料を混合し深い、淡い色を形成し、更に、薬剤を添加し、本当の竹の色を形成し、相互に組み合わせて建築部を構成し、ガラス繊維中間層は、成型後の表面を凝固剤、耐熱剤、硬化剤を添加し、プラスチック薄膜層を保護層として使用し、その建築方式の変更が建物の安定性および美観作用を損なわず、製品が各種擬似竹家具製品（例えば、椅子、安全柵）、安全弁を有する絶縁漏電防止回路ランプおよびマンホールの蓋に応用できる。【選択図】  図１
0003138561.tif 000002
【実用新案登録請求の範囲】
【請求項１】
鋼管であり、ステンレス、鉄材の組み合わせ部材であることができる内層と、
ガラス繊維層であり、表面に緑、黄顔料を混合した色を塗布し本当の竹の色を形成してなる中間層と、
プラスチック薄膜層であり、ＴＰＥ膜、ＴＰＵ膜、ＰＰ膜であることができる外層と、の三層構造から組成され、円形体の竹外観に似せて形成でき、相互に組み合わせて、組み立て建築物、各種擬似竹家具製品（例えば、椅子、安全柵）、安全弁を有する絶縁漏電防止ランプおよびマンホールの蓋を建造構成することができる擬似竹ガラス繊維管組み合わせ構造。
【請求項２】
前記中間層と外層の二層構造から構成され、半円形体の竹外観に似せて形成でき、相互に組み合わせて、組み立て建築物、各種擬似竹家具製品（例えば、椅子、安全柵）、安全弁を有する絶縁漏電防止ランプおよびマンホールの蓋を建造構成することができる請求項１記載の擬似竹ガラス繊維管組み合わせ構造。
【請求項３】
前記ガラス繊維中間層は、成型後の表面に凝結剤、耐熱剤および硬化剤等の薬剤を添加し、顔料を併せて雌金型に加えて成型できる請求項１記載の擬似竹ガラス繊維管組み合わせ構造。
【請求項４】
前記表面に黒、白の竹環節を設け、凸環部および凹環を設け、樹脂を沁み込ませることで非表面に塗布する請求項１記載の擬似竹ガラス繊維管組み合わせ構造。
【考案の詳細な説明】
【技術分野】
【０００１】
本考案は、擬似竹ガラス繊維管の組み合わせ構造に関し、特に、擬似竹ガラス繊維管を採用して分解組み立て可能な建物構造および各種の擬似竹家具製品、安全弁を有する絶縁漏電防止回路ランプ（酸化防止および塩化防止作用を有する）およびをマンホールの蓋に関する。
【背景技術】
【０００２】
通常、擬似竹構造は、セメントから形成され、建築物上に応用するには、重機設備に協調して施工する必要があり、例えば、東屋を建造する場合、セメント構造を使用しているので、重量が過度に重くなり不安定になる現象を引き起こし、セメント製造業者が感電する現象も発生する。また、プラスチックにより製造する場合、竹本来の色を達成することができない。
【特許文献１】特開２００２−４７７６５号公報
【考案の開示】
【考案が解決しようとする課題】
【０００３】
本考案の目的は、竹ガラス繊維管組み合わせ構造を提供することである。
【課題を解決するための手段】
【０００４】
鋼管であり、ステンレス、鉄材の組み合わせ部材であることができる内層と、ガラス繊維層であり、表面に緑、黄顔料を混合した色を塗布し本当の竹の色を形成してなる中間層と、プラスチック薄膜層であり、ＴＰＥ膜、ＴＰＵ膜、ＰＰ膜であることができる外層と、の三層構造から組成され、円形体の竹外観に似せて形成でき、相互に組み合わせて、組み立て建築物、各種擬似竹家具製品（例えば、椅子、安全柵）、安全弁を有する絶縁漏電防止ランプおよびマンホールの蓋を建造構成することができる擬似竹ガラス繊維管組み合わせ構造。
【考案の効果】
【０００５】
本考案の竹ガラス繊維管組み合わせ構造は、下記の利点を有する。
（１）本考案の竹ガラス繊維管の構造の外観は、本当の竹の外観に近似し、その視覚効果、立体感が良好であり、景観を自然で美しく製造できる。
（２）本考案の擬似竹ガラス繊維管の構造は、耐久性と高強度を有し、容易に破壊されないだけではなく、頻繁に修復、再作成する必要がない。
（３）本考案の竹ガラス繊維管の構造は、軽い材質で搬送が容易であり、鋼管を合わせて更に、極めて良好な組み立て建築物、擬似竹家具製品（例えば、椅子、安全柵）、安全弁を有する絶縁漏電防止ランプおよびマンホールの蓋を建造構成できる。
【考案を実施するための最良の形態】
【０００６】
本考案の前記およびその他の技術的内容、特長および効果に関し、以下に図面と共に説明する。
【０００７】
本考案は、擬似竹ガラス繊維管組み合わせ構造に関し、図１、図２、図３に示すように、その擬似竹ガラス繊維管１は、プラスチック薄膜層である外層ａと、ガラス繊維層である中間層ｂと、鋼管である内層ｃとを組み合わせて組成され、そのうち、ガラス繊維層は、金型を開く→樹脂＋緑黄顔料＋薬剤→鋼管を包む→乾燥→成型の製造フローを採用して完成してなり、中間層と外層の間には、樹脂と緑、黄顔料の混合を利用し深い、淡い色を形成し、薬剤（凝結剤、耐熱剤および硬化剤）を添加し、本当の竹のような色を形成する。
【０００８】
擬似竹ガラス繊維管１中の中間層ｂのガラス繊維層は、擬似竹環節１０を設け、そのうち、凸環部１０１を有し、中央に凹環１０２を設け、また、プラスチック層である外層ａは、擬似竹ガラス繊維管１の保護層としてなり、二軸延伸ポリエステルフィルム、二軸延伸ポリプロピレンフィルムであることができ、また、鋼管を設置してなる内層ｃは、形成する組み合わせ建築物体および各種擬似竹家具製品（例えば、椅子、安全柵）、安全弁を有する絶縁漏電防止ランプおよびマンホールの蓋を安定固定建造することに用いられる。
【０００９】
本考案の擬似竹ガラス繊維管１は、図２および図３に示すように、半円形体Ｓと円形体Ｆを有し、管径は、いずれも建物の使用の需要に基づき合わせることができ、図４、図５、図６に示すように、擬似竹ガラス繊維管１は東屋の正面Ａ、俯瞰図Ｂおよび内面Ｃに使用され、その製品は、多元化して応用でき、例えば、擬似竹家具製品（例えば、椅子、安全柵）、安全弁を有する絶縁漏電防止回路ランプおよびマンホールの蓋である。
【図面の簡単な説明】
【００１０】
【図１】本考案の断面図である。
【図２】本考案の半円形体図である。
【図３】本考案の円形体図である。
【図４】本考案の東屋の正面図である。
【図５】本考案の東屋の上視図である。
【図６】本考案の東屋の内面図である。
【符号の説明】
【００１１】
１  擬似竹ガラス繊維管
１０  擬似竹環節
１０１  凸環部
１０２  凹環
Ａ  正面
Ｂ  俯瞰面
Ｃ  内面
Ｆ  円形体
Ｓ  半円形体
ａ  外層
ｂ  中間層
ｃ  内層
【図１】
0003138561.tif 000003
【図２】
0003138561.tif 000004
【図３】
0003138561.tif 000005
【図４】
0003138561.tif 000006
【図５】
0003138561.tif 000007
【図６】
0003138561.tif 000008
(57)【要約】      （修正有）【課題】傘を差して立っているだけで、子供を監視していることを第３者に訴え、悪質者の出没を抑止できる傘を提供する。【解決手段】傘１の傘面の下縁部分を濃い色４で塗り、その他の部分を薄い色５で塗り、傘面に子供を監視していることを表わす文言６を印刷している。また、石突７は赤色に彩色している。傘の濃い色と薄い色の塗り分けと石突７の赤い色はパトカーをイメージさせ、かつ傘面の子供を監視していることを表わす文言６は通学路中の誰もが読み取れる。このため、傘を差して通学路に保護者等が立っていれば、悪質者による犯罪を抑止しやすくなる。【選択図】図２
0003138477.tif 000002
【実用新案登録請求の範囲】
【請求項１】
傘の傘面の下縁部分を濃い色で塗り、その他の部分を薄い色で塗り、傘面に子供を監視していることを表わす文言を印刷している
ことを特徴とする傘。
【請求項２】
傘の石突を赤色系に塗っている
ことを特徴とする請求項１記載の傘。
【考案の詳細な説明】
【技術分野】
【０００１】
本考案は、傘に関する。さらに詳しくは、防犯に効果のある傘に関する。
【背景技術】
【０００２】
従来から傘には種々のデザインがあるが、それらは純粋にデザインとしての多様性を狙ったものであった（特許文献１）。したがって、子供の通学途中の安全性を狙ったものではなかった。
【０００３】
【特許文献１】意匠登録第１００７２３２
【考案の開示】
【考案が解決しようとする課題】
【０００４】
本考案は傘を差して立っているだけで、子供を監視していることを第３者に訴え、悪質者の出没を抑止できる傘を提供することを目的とする。
【課題を解決するための手段】
【０００５】
第１考案の傘は、傘の傘面の下縁部分を濃い色で塗り、その他の部分を薄い色で塗り、傘面に子供を監視していることを表わす文言を印刷していることを特徴とする。
第２考案の傘は、第１考案において、傘の石突を赤色系に塗っていることを特徴とする。
【考案の効果】
【０００６】
第１考案によれば、傘の濃い色と薄い色の塗り分けはパトカーをイメージさせ、かつ傘面中の子供を監視していることを表わす文言が通学路中の誰もが読み取れる。このため、本考案の傘を差して通学路に保護者等が立っていれば、防犯意識が高い地域であることを認識させるので、悪質者による犯罪を抑止しやすくなる。
第２考案によれば、石突の赤色がパトカーのパトライトをイメージさせるので、防犯意識をより高め、悪質者による犯罪を防止しやすくなる。
【考案を実施するための最良の形態】
【０００７】
つぎに、本考案の実施形態を図面に基づき説明する。
図１は本考案の一実施形態に係る傘の平面図、図２は図１の傘の使用状態説明図である。
図１および図２において、１は傘であり、２は柄、３は傘面である。柄２および傘面３の物理的構造は公知のものであり、傘１としては雨傘用であっても日傘用であってもよい。
【０００８】
本考案は傘面３の表面的構成に特徴がある。傘面３を開いた状態で、図２に示す側面視で下縁部分、すなわち図１に示す外周縁の部分は一定の幅で濃い色で塗られている。そして、濃い色の彩色部分４以外の部分、すなわち側面視における下縁より上面の部分、平面視における外周縁を除く大部分は、薄い色で塗られている。
上記の濃い色の部分４と薄い色の部分５の色分けは、パトロールカーをイメージさせるものである。したがって、パトロールカーをイメージさせることができれば、どのような色彩を用いてもよい。代表的には黒と白の組合せであるが、これ以外にも濃い色として、青、緑、赤、紫などが使用でき、薄い色として、黄、灰、ピンクなどが使用できる。
【０００９】
上記傘面３には、通学中の子供を監視していることを表わす文言６が印刷されている。そのような文言としては、例えば、つぎを例示できる。
「子供」、「110番」、「監視中」、「警戒」、「防犯」
【００１０】
傘１の石突７は赤色系に塗色されている。この石突７の赤色はパトカーの天井に載せられているパトライトをイメージさせるものである。
【００１１】
図２に示すように、本考案の傘１を差して、保護者等（保護者や交通監視員、その他子供の交通安全に係る人々をいう）が交差点等に立っていれば、濃薄の２トーンカラーや、石突７の赤色が警察のパトロールを思い起こさせ、かつ道路上の誰もが、「子供」、「110番」、「監視中」の文言を視認することになる。このような環境を作ることで、防犯意識が高い地域であることを認識させうる。このため、悪質者が子供相手の犯罪に手を出しにくくすることができるので、子供相手の犯罪を抑止することができる。また、保護者等の安全も確保しやすくなる。
【図面の簡単な説明】
【００１２】
【図１】本考案の一実施形態に係る傘の平面図である。
【図２】図１の傘の使用状態説明図である。
【符号の説明】
【００１３】
１    傘
３    傘面
４    濃い色の部分
５    薄い色の部分
６    子供を監視していることを表わす文言
７    石突
【図１】
0003138477.tif 000003
【図２】
0003138477.tif 000004
(57)【要約】【課題】  携帯型音楽画像再生装置等のイヤホンコードの収納と、底面のイヤホンプラグと設置面との干渉を避けた立て掛け機能を併せ持つ携帯性に優れたスタンドを提供する。【解決手段】  携帯型音楽画像再生装置等の外周部に沿ってイヤホンコードを巻き付け、コード保持溝部にコードを挟み込み係止する事でコードの収納の課題を解決し、スタンドで該再生装置を設置面から持ち上げて保持する事で底面のコードプラグと設置面との干渉を避けて立て掛け保持するという課題を解決する。【選択図】図６
0003138473.tif 000002
【実用新案登録請求の範囲】
【請求項１】
装着腕部と開閉式スタンド脚により形成され、装着腕部で携帯型音楽画像再生装置等を挟着し開閉式スタンド脚で立て掛け保持することを特徴とする携帯型スタンド
【請求項２】
請求項１於いて開閉式スタンド脚で自立し、設置面から携帯型音楽画像再生装置等を浮かせて装着腕部で挟着保持する事を特徴とする携帯型スタンド
【請求項３】
請求項１に於いて開閉式スタンド脚にコード保持溝部を設け、イヤホンコードを巻き込み係止する事を特徴とする携帯型スタンド
【考案の詳細な説明】
【技術分野】
【０００１】  本考案は、携帯型音楽画像再生装置のイヤホンコードの収納と該再生装置の立て掛けスタンドを兼ねるクリップに関する物である。
【背景技術】
【０００２】  従来の技術思想では、携帯型音楽画像再生装置のイヤホンコードはリール形状の器具に巻取る方式により収納が行われていた。またスタンドは該再生装置の背面に装着し、該再生装置を接地面に置き傾斜させてスタンド脚で支える構造であった。イヤホンプラグが該再生装置の底面に接続されている場合、該プラグが設置面に干渉してスタンド脚では支える事が出来なかった。
【考案の開示】
【考案が解決しようとする課題】
【０００３】  本考案は、携帯型音楽画像再生装置のイヤホンコードの長さ調整及び収納に関しての問題を解決し、該再生装置を立て掛け保持する際のイヤホンプラグと設置面との干渉を解決する事を課題とする。
【課題を解決するための手段】
【０００４】  本考案は携帯型音楽画像再生装置本体の外周部に沿ってコードを巻き付け任意の位置でコードを挟み込み係止するスタンド兼クリップを使用する事でコードの長さ調整と収納の課題を解決し、該スタンド兼クリップで該再生装置を設置面から持ち上げて保持する事で底面に接続されたコードプラグの設置面との干渉を避けて立て掛け保持するという課題を解決する。
【考案の効果】
【０００５】  上記のように本考案の携帯型音楽画像再生装置用スタンド兼クリップを使用することで、イヤホンコードの長さを容易に調整することが出来る。またケース外周部にコードを収納出来るため複雑な機構の巻き取り装置を用いることなく軽量化が可能であり、使用者は好みのイヤホンのコードの長さを自在に調節して使用することが出来る。本考案の実施によりコードのからみを防止し、余分なコードの処理の問題を解決することが出来る。また机上などの設置面で該再生装置を立て掛け保持する際は、該スタンド兼クリップの装着位置を下方にずらし該再生装置を接地面から浮かせて保持することで、該再生装置の底面に接続されたコードプラグが設置面と干渉する事を避け、安定して立て掛け保持する事が出来る。該スタンド兼クリップは該再生装置を対象物に挟着させる機能も併せ持つ。
【考案を実施するための最良の形態】
【０００６】  携帯型音楽画像再生装置等の外周部を、外周部に合わせた形状からなるクリップ左右の腕部で挟み込み、該再生装置の背面に該クリップを装着する。イヤホンコードを該再生装置本体に巻き付け収納するとき、イヤホンコードは該クリップのコード押さえ溝に挟み込み固定される。使用者が机上などで該再生装置を立て掛けて使用するときは、クリップのスタンド脚部を開き、立て掛けて使用する。該再生装置底部にイヤホンコードプラグが接続されている場合、クリップを該再生装置下方に移動しクリップとスタンド脚部で該再生装置を机上から浮かせて配置する。該再生装置を浮かせる事により該プラグの接地面との干渉を防ぎ、机上などで立て掛けて使用する事が出来る。本考案のクリップはスタンド脚部を閉じれば、通常のクリップと同様に該再生装置本体を対象物に挟着させる機能も併せ持つ。
【実施例】
【０００７】  以下、添付図面に基づいて実施例を説明する。
図１は本考案の携帯型音楽画像再生装置用スタンド兼クリップの側面図である。１はクリップ本体、２はスタンド脚部である。スタンド脚部２はヒンジ係合凹凸部１ａ２ａを支点としてクリップ本体１のスリット部に回動可能に装着され、先端部のフック２ｂとフック受け１ｅの係合によりによりクリップ本体に係着される。１ｃは該再生装置にクリップを装着する為の腕部であり、１ｄはクリップとして対象物に該再生装置を挟着させ、又コードの脱落を防ぐ凸部である。【０００８】  図２は携帯型音楽画像再生装置３に本考案のスタンド兼クリップを装着した状態の側面図である。クリップ本体の保持溝１ｂにイヤホンコード４を巻き付け保持した状態の実施例の側面図である。【０００９】  図３はクリップのスタンド脚部２を開き該再生装置を立て掛け保持して使用する状態の実施例の側面図である。【００１０】  図４は該再生装置底部にイヤホンコードプラグが接続された場合に、クリップを該再生装置下方に移動しクリップとスタンド脚部で該再生装置を机上の設置面から浮かせて立て掛け保持し使用する状態の実施例である。【００１１】  図５は該再生装置に本考案のスタンド兼クリップを装着し、イヤホンコード４を巻き付け保持した状態の実施例の俯瞰図である。図６はクリップ１とスタンド脚部２で該再生装置３を浮かせて立て掛け保持し使用する状態の実施例の俯瞰図である。【００１２】  図７は該再生装置３とスタンド兼クリップ１、スタンド脚部２の構成を示す俯瞰図である。
【図面の簡単な説明】
【００１３】
【図１】携帯型音楽画像再生装置用コード保持溝付きスタンド兼クリップの側面図である。
【図２】コードを巻き付け保持した状態の側面図である。
【図３】立て掛けて使用した状態の側面図である。
【図４】浮かせて立て掛けて使用した状態の側面図である。
【図５】コードを巻き付け保持した状態の俯瞰図である。
【図６】浮かせて立て掛けて使用する状態の俯瞰図である。
【図７】構成を示す俯瞰図である。
【符号の説明】
【００１３】  １    クリップ本体
１ｃ  装着腕部
２    スタンド脚部
３    携帯型音楽画像再生装置本体
３ａ  情報表示画面
４    イヤホンコード
５    イヤホン
【図１】
0003138473.tif 000003
【図２】
0003138473.tif 000004
【図３】
0003138473.tif 000005
【図４】
0003138473.tif 000006
【図５】
0003138473.tif 000007
【図６】
0003138473.tif 000008
【図７】
0003138473.tif 000009
(57)【要約】【課題】  編み方式か塗装する場合には、殆どデザインの変更が出来にくかった。本考案の連結式穴付きブロックでは、各ブロックが取り替え可能に連結式とし、前述の課題を解決しようとするものである。【解決手段】  本考案は、ブロックに連結用穴を設け、この穴は２箇所以上配置し、２箇所の場合はＸ軸とＹ軸に配置し、あるいは３箇所の場合はＸ軸、Ｙ軸そしてＺ軸になるようにほぼ直角に穴あけし、各穴はブロックを貫通して形成するとともに、各穴は相互干渉しないように形成し、連結する穴はほぼ同じ直径に穴あけし、各穴に棒または紐類などを通して各ブロックが取り替え可能に連結できるように構成して前記問題点を解決した。【選択図】図１
0003138472.tif 000002
【実用新案登録請求の範囲】
【請求項１】
ブロック１に連結用穴２を設け、この穴２は２箇所以上配置し、２箇所の場合はＸ軸とＹ軸に配置し、あるいは３箇所の場合はＸ軸、Ｙ軸そしてＺ軸になるようにほぼ直角に穴あけし、各穴はブロック１を貫通して形成するとともに、各穴は相互干渉しないように形成し、連結に関連する穴はほぼ同じ直径に穴あけし、各穴に棒または紐類などを通して各ブロックが取り替え可能に連結できることを特徴とする連結式穴付きブロック。
【考案の詳細な説明】
【技術分野】
【０００１】  本考案は、家具類やおもちゃとしての積み木などに関するものである。
【背景技術】
【０００２】  従来、家具類のいすの座面や背もたれにおいて、デザイン的な模様を施す場合には、編み方式か塗装する場合が多かった。
【考案の開示】
【考案が解決しようとする課題】
【０００３】  編み方式か塗装する場合には、殆どデザインの変更が出来にくかった。本考案の連結式穴付きブロックでは、各ブロックが取り替え可能に連結式とし、前述の課題を解決しようとするものである。
【課題を解決するための手段】
【０００４】  本考案は、ブロックに連結用穴を設け、この穴は２箇所以上配置し、２箇所の場合はＸ軸とＹ軸に配置し、あるいは３箇所の場合はＸ軸、Ｙ軸そしてＺ軸になるようにほぼ直角に穴あけし、各穴はブロックを貫通して形成するとともに、各穴は相互干渉しないように形成し、連結に関連する穴はほぼ同じ直径に穴あけし、各穴に棒または紐類などを通して各ブロックが取り替え可能に連結できるように構成して前記問題点を解決した。各ブロックは、色を変えたり材質を変えたりなど出来るように構成する。
【考案の効果】
【０００５】  次のような効果が期待できる。
連結する棒や紐類を抜くことによって、各ブロックが取り外すことが可能である。取り外せるため、異なるデザインの配置に配置換えすることが可能になる。異なるデザインに変更が可能になる。また、汚れたり傷ついたりした場合に、その部分のみ取り替えたりすることも可能である。また、椅子の座面や背もたれに応用した場合には、通した棒の適度なたわみによってクッションの効果も出せる。
【考案を実施するための最良の形態】
【０００６】  連結用の穴は２箇所の場合はＸ軸とＹ軸に配置し、希望に応じて平面を形成させる。あるいは連結用の穴が３箇所の場合はＸ軸、Ｙ軸そしてＺ軸になるように配置して、立体形状を構成させることが出来る。
【実施例】
【０００７】  以下、添付図面に従って実施例を説明する。
図１において、ブロック１に連結用穴２を設け、この穴２は２箇所以上配置し、２箇所の場合はＸ軸用に２の穴、Ｙ軸用に３の穴を配置する。あるいは３箇所の場合はＸ軸用に２の穴、Ｙ軸用に３の穴そしてＺ軸用に４の穴を配置する。各穴はブロック１を貫通して形成するとともに、各穴は相互干渉しないように形成し、連結する穴はほぼ同じ直径に穴あけし、各穴に棒または紐類などを通して各ブロックが取り替え可能に連結できるように形成する。
図２は、ブロックを、棒５でＸ軸、棒６でＹ軸を連結しＸＹ平面を構成している。
図３は、棒５でＸ軸、棒６でＹ軸そして棒７でＺ軸を連結し、立体形状を構成している。図４は、ブロック８が球形の例である。図５は椅子へ応用した例である。Ｘ軸、Ｙ軸、Ｚ軸は、座標を表す一般的に使用される記号である。
【産業上の利用可能性】
【０００８】  本考案は、一例を挙げると、木工家具における椅子の座面や背もたれなどに使用できる。またおもちゃ用としては、積み木の一種として利用できる。この場合は、知恵の輪に近い積み木として利用できる。
【図面の簡単な説明】
【０００９】
【図１】本考案の一実施例である穴付ブロックの立体図を示す。
【図２】本考案の一実施例である平面構成を示す。
【図３】本考案の一実施例である立体構成を示す。
【図４】本考案の一実施例である球形ブロックを示す。
【図５】本考案の一実施例である椅子への応用例を示す。
【符号の説明】
【０００１０】  １            ブロック
２            穴
３            穴
４            穴
５            連結用棒
６            連結用棒
７            連結用棒
８            球形ブロック
Ｘ、Ｙ、Ｚ    座標を示す軸
【図１】
0003138472.tif 000003
【図２】
0003138472.tif 000004
【図３】
0003138472.tif 000005
【図４】
0003138472.tif 000006
【図５】
0003138472.tif 000007
(57)【要約】      （修正有）【課題】足の曲げ伸ばしが不自由な人が、足の曲げ伸ばし動作を強いられることなく自力で簡単にパンツおよびトランクスを脱着することを実現する。【解決手段】パンツおよびトランクスの前身ごろ１および後ろ身ごろ２の両サイドの接合部分に繰返し接着機能をもつマジックテープ３を上下方向に１筋ずつ計４本縫いこみ、パンツおよびトランクスの足を通すための二つの輪を、両サイドにおけるマジックテープによる前身ごろと後ろ身ごろの接合部分で開閉可能にすることにより、足の曲げ伸ばしの不自由な人々が自力で簡単に脱着可能なパンツおよびトランクスを実現する。【選択図】図１
0003138427.tif 000002
【実用新案登録請求の範囲】
【請求項１】
パンツおよびトランクスの両サイドの前身ごろと後ろ身ごろとの接合部を糸で縫合せず、前身ごろと後ろ身ごろとの両サイドの接合部双方に、対になるマジックテープ（登録商標、以下同様）を上下方向に１筋ずつ縫い込むことにより、両サイドに開閉機能を設け、足の曲げ伸ばしが不自由な人が足を曲げることなく、両サイドのマジックテープによる接合部分を開閉することで簡単に脱着する事ができるところを特徴とする両サイド開閉機能付きパンツおよびトランクス
【考案の詳細な説明】
【技術分野】
【０００１】  本考案は、パンツおよびトランクスに関するものである。
【背景技術】
【０００２】  パンツおよびトランクスを脱着する際は、通常足を曲げてパンツおよびトランクスの足を通すための２つの穴に足を通して脱着する必要がある。また、介護用に特殊なパンツやおむつで両側部をマジックテープで開閉できるものもあるが、足の曲げ伸ばしが不自由なだけで日常生活を営む上で特別な介護を必要としない人が、足を曲げることなく自力で簡単に脱着できるパンツおよびトランクスが一般に存在しない。
【考案の開示】
【考案が解決しようとする課題】
【０００３】  足の曲げ伸ばしが不自由な人にとって、脱着する際に足の曲げ伸ばし動作を必要とする一般的な形状のパンツやトランクスを毎日脱ぎ着することは、非常に時間と労力のかかることであった。
【課題を解決するための手段】
【０００４】  本考案は、パンツおよびトランクスの前身ごろと後ろ身ごろ双方の両サイドの接合部分に前と後ろで対になるマジックテープを上下方向に１筋縫いこむことでパンツおよびトランクスの両サイドに開閉機能を付加し、パンツおよびトランクスの足を通すための穴を開閉可能にして足の曲げ伸ばし動作なしに脱着可能にすることにより問題点を解決している。
【考案の効果】
【０００５】  上述の様に、本考案の両サイド開閉機能付きパンツおよびトランクスは脱着する際、足の曲げ伸ばし動作を必要としないため、足の曲げ伸ばしの不自由な人でも自力で簡単にパンツおよびトランクスを脱ぎ着していただくことに役立つ。
【考案を実施するための最良の形態】
【０００６】  パンツおよびトランクスの作成のための生地を通常サイズより両サイドをマジックテープの巾分大きく裁断し、縫製の段階で前身ごろと後ろ身ごろとの両サイドの接合部に対になるマジックテープを上下に１筋ずつ縫い込むことで両サイドの開閉機能を付加する。
【実施例】
【０００７】  以下、添付図面に従って一実施例を説明する。１は布帛およびニット等適宜素材を裁断したパンツおよびトランクスの前身ごろ、２は布帛およびニット等適宜素材を裁断したパンツおよびトランクスの後ろ身ごろ、３はパンツおよびトランクスの両サイドの接合部を接着機能により開閉可能とするマジックテープ縫込み部分である。
【図面の簡単な説明】
【０００８】
【図１】本考案の両サイド開閉機能付きパンツおよびトランクスの未着用時の展開図である。
【図２】本考案の両サイド開閉機能付きパンツおよびトランクスの着用時の立体図である。
【符号の説明】
【０００９】１  パンツおよびトランクスの前身ごろ
２  パンツおよびトランクスの後ろ身ごろ
３  マジックテープ縫込み部分
【図１】
0003138427.tif 000003
【図２】
0003138427.tif 000004
【手続補正書】
【提出日】平成19年9月18日(2007.9.18)
【手続補正１】
【補正対象書類名】実用新案登録請求の範囲
【補正対象項目名】全文
【補正方法】変更
【補正の内容】
【実用新案登録請求の範囲】
【請求項１】
パンツおよびトランクスの両サイドの前身ごろと後ろ身ごろとの接合部を糸で縫合せず、前身ごろと後ろ身ごろとの両サイドの接合部双方に、対になるマジックテープ（登録商標、以下同様）を上下方向に１筋ずつ縫い込むことにより、両サイドに開閉機能を設け、足の曲げ伸ばしが不自由な人が足を曲げることなく、両サイドのマジックテープによる接合部分を開閉することで簡単に脱着する事ができるところを特徴とする両サイド開閉機能付きパンツ又はトランクス。
(57)【要約】      （修正有）命名用紙に家紋を入れた  又、後日家紋を張り付け又は、印刷、転写出来る命名用紙の提供。【課題】【解決手段】先祖との血統の証しとして家紋を入れた。折り目をつけず保管するために巻物にしまして巻物の上の所に命名される方の家紋１０を入れる。家紋を入れることによて一段と良い風格と美観を増し、一生の宝物として残しておく。【選択図】図１
0003138425.tif 000002
【実用新案登録請求の範囲】
【請求項１】
家紋を入れた命名用紙
【請求項２】
あとから家紋を張り付け、印刷、転写できる命名用紙
【考案の詳細な説明】
【技術分野】
【０００１】本考案は、命名用紙にそこ家に伝わる家紋を入た  又、後日家紋を入れたり出来る命名用紙。
【背景技術】
【０００２】従来の命名用紙は親子のつながりの、しるしのない命名用紙を使用していた。
【考案の開示】
【考案が解決しようとする課題】
【０００３】しかし、子供が生まれたら七日目に名前を付け、命名用紙に名前を書き披露し、御七夜の誕生のお祝いします、親子のつながりの印しがない。
【課題を解決するための手段】
【０００４】そこで一つの生命の誕生することには、両親の血受け、そして先祖との血統の証しとして先祖から引き継がれてきた家紋を、命名用紙に入れ命名の御七夜のお祝いして、生まれて最初の儀式の思いでとして一生残しておきたい。
【考案の効果】
【０００５】よって家紋は先祖代々から引き継がれてきたその家の血統の証の紋所であり、命名は一人の生命の誕生であり、名前は死ぬまで使う大切な物であります。
命名用紙に家紋を入れることで、大切な物と物が合体したのが、家紋入り命名用紙で有ります。
【考案を実施するための最良の形態】
【０００６】本考案に係る命名用紙２０は、図１に示すように、上の所に命名される家に伝わる家紋１０を入れるようにした、家紋１０の製作法その（１）表装時に家紋を入れるのと、その（２）後日張り付け、印刷、転写、する、保管するとき折り目の出ないように巻物にしまして、永久に美しく、本人の宝物として残しておきたい。
【図面の簡単な説明】
【０００７】
【図１】本考案に係る命名用紙を家紋入りした掛軸を吊た正面図
【図２】従来の命名用紙の正面図
【符号の説明】
【０００８】１    名前の記入場所
２    生年月日の記入場所
３    掛軸生地
１０  家紋
２０  命名用紙
【図１】
0003138425.tif 000003
【図２】
0003138425.tif 000004
【手続補正書】
【提出日】平成19年9月20日(2007.9.20)
【手続補正１】
【補正対象書類名】実用新案登録請求の範囲
【補正対象項目名】全文
【補正方法】変更
【補正の内容】
【実用新案登録請求の範囲】
【請求項１】
家紋をデジタルカメラで撮影をしてコンピュータ装置で画像処理をしてプリンタで布地材又はプリントペーパーに印刷し、家紋の取り付け位置は命名紙の上部に糊をつけて張着又は転写した命名用紙。
【請求項２】
後から家紋を張り付け、印刷、転写できる命名用紙
命名用紙に家紋を張り合わせる部分に印しをいれ張着するための糊を施しておきます、
命名用紙と一緒に印刷用の布地材とプリントペーパー、返信用の封筒を付けて発売しますので、
お客さんから家紋の写真と印刷用の布地材とプリントペーパーが返送されてきたら  家紋を印刷してお客に送りますので、お客さんが命名用紙の印しに家紋を合わして張着又は転写のできる命名用紙。
【請求項３】
後から家紋を張り付け、印刷、転写できる命名用紙
命名用紙に家紋を張り合わせる部分に印しをいれ張着するための糊を施しておきます、
命名用紙と一緒に印刷用の布地材とプリントペーパー、返信用の封筒を付けて発売しますので、
お客さんが自宅で家紋印刷が出来る人は家紋をデジタルカメラで撮影をしてコンピュータ装置で画像処理をしてプリンタで布地材又はプリントペーパーに印刷して張着又は転写のできる命名用紙。
(57)【要約】      （修正有）【課題】従来のまな板では、切り離さず飾り細工をしようとしても、素人ではついつい切り離してしまい、失敗することが多い。そこで、簡単に食材を切り離すことなく、容易に切れ目を入れることができるまな板を提供する。【解決手段】まな板に切り込みを入れ、厚さの違う調節板をセットする。まな板の厚さによって調節板の厚さと、枚数を増減する。例えば、調節板１を１ミリ、２を２ミリ、３を４ミリ、４を８ミリの厚さにすると、１ミリから１５ミリまで、１ミリ単位で調節ができる。又、調節板４を台形か上部を狭くして、収納時にはずれないように加工する。【選択図】図１
0003138429.tif 000002
【実用新案登録請求の範囲】
【請求項１】
まな板に切り込みを入れ、厚さの違う調節板何枚か組み合わせ、材料を切り離すことなく、飾り切りや、切り込みを容易に入れられるようにするまな板。
【考案の詳細な説明】
【技術分野】
【０００１】  本考案は、材料を切り離すことなく簡単に、飾り切り等調理できるまな板である。
【背景技術】
【０００２】  素人では、飾り切りや、切り込みが上手にできない。
【考案が解決しようとする課題】
【０００３】  素人でも、簡単に飾り切りや、切り込みが入れられ調理が楽しくなる。
【課題を解決するための手段】
【０００４】  まな板に切り込みを入れ、厚さの違う調整板何枚か組み合わせ、切り残す厚みを調節し飾り切り等が簡単にでき、又〔図１〕の５のように幅の異なる溝を付けることで調理の幅が広がる。
【考案の効果】
【０００５】  本考案のまな板は、厚さの調整をするだけで、誰でも同じような調理ができる。
【考案を実施するための最良の形態】
【０００６】  調節板を、色々な厚さに調節し、切り残す部分を一定にすることにより、綺麗に料理をする。
【図面の簡単な説明】
【０００７】
【図１】本考案の、まな板の断面図である。
【符号の説明】
【０００８】  １〜４は厚さ調節板
５はまな板本体
【図１】
0003138429.tif 000003